(57)【特許請求の範囲】
【請求項１】
（ａ）炭素数８〜１８の炭化水素基を有するアミンオキシド型界面活性剤、（ｂ）安息香酸、ベンゼンスルホン酸、ベンゼンジスルホン酸、ｐ−トルエンスルホン酸、桂皮酸及びこれらの塩から選ばれる１種以上の化合物、並びに（ｃ）水を含有し、（ａ）と（ｂ）のモル比が（ｂ）／（ａ）＝０．３〜０．９であり、（ａ）に対して、陰イオン界面活性剤と陽イオン界面活性剤の合計量が３モル％以下であり、界面活性剤の含有量の合計が１０〜３０質量％であり、界面活性剤中、（ａ）の割合が９５〜１００質量％であり、次亜塩素酸塩を含まない、液体洗浄剤組成物。
【請求項２】
（ａ）が下記一般式（Ａ）で表されるアミンオキサイド型界面活性剤である、請求項１記載の液体洗浄剤組成物。
【化１】
0005520029.tif 000004
〔式中、Ｒ1は炭素数８〜１８のアルキル基又はアルケニル基であり、Ｒ2は炭素数１〜６のアルキレン基であり、Ａは−ＣＯＯ−、−ＣＯＮＨ−、−ＯＣＯ−、−ＮＨＣＯ−から選ばれる基である。ａは０又は１の数であり、Ｒ3、Ｒ4はそれぞれ炭素数１〜３のアルキル基又はヒドロキシアルキル基である。〕
【請求項３】
（ａ）を１〜３０質量％含有する、請求項１又は２記載の液体洗浄剤組成物。
【請求項４】
ｐＨが、２０℃で６〜９である、請求項１〜３の何れか１項記載の液体洗浄剤組成物。
【請求項５】
硬質表面用である、請求項１〜４の何れか１項記載の液体洗浄剤組成物。
【請求項６】
（ａ）に対して、（ａ）を除く非イオン界面活性剤が、５モル％以下である、請求項１〜５の何れか１項記載の液体洗浄剤組成物。
【発明の詳細な説明】
【技術分野】
【０００１】
本発明は液体洗浄剤組成物に関する。
【背景技術】
【０００２】
一般に硬質面用の洗浄剤組成物には、組成物の貯蔵安定性や起泡性の向上や組成物の液粘度増加を目的として、芳香族スルホン酸又はその塩や芳香族カルボン酸又はその塩が用いられてきた。
【０００３】
例えば、特許文献１、２にはポリオキシアルキレンアルキル硫酸エステルを含む特定の陰イオン界面活性剤とアミンオキシドとを含有する組成物の相安定性向上を目的としてｐ−トルエンスルホン酸をハイドロトロープ剤として用いることが記載されている。また、特許文献３、４にはトリガースプレー噴霧時の起泡性向上や高温時における次亜塩素酸ナトリウムの保存安定性向上を目的としてクメンスルホン酸、キシレンスルホン酸、トルエンスルホン酸およびこれらのアルカリ金属塩を用いることが記載されている。また、特許文献５、６、７には、非水平面に適用された時の滞留時間向上を目的とした組成物の増粘剤として、キシレンスルホン酸ナトリウム、クメンスルホン酸ナトリウム等の芳香族スルホン酸又はその塩を用いることが記載されている。また、特許文献８には、アミド型アミンオキサイドと特定のアニオン性ポリマーを配合する技術が記載されている。
【０００４】
一方、低環境負荷や低皮膚刺激性といった観点から低界面活性剤濃度、または低使用水量の洗浄剤組成物が望まれている。しかし、界面活性剤濃度を低減させると洗浄性能も低下し、使用水量を低減させる為にはさらなる界面活性剤の低減が必要になる。このため洗浄剤組成物本来の目的を達することが困難になるため、低界面活性剤濃度でも十分な洗浄性能を有し、かつ低使用水量である洗浄剤組成物が望まれていた。
【先行技術文献】
【特許文献】
【０００５】
【特許文献１】特開２００９−１５５６１１号公報
【特許文献２】特開２００９−１８５２５２号公報
【特許文献３】特開２００２−２１２５９６号公報
【特許文献４】特開２００２−２４１７９１号公報
【特許文献５】特開２００８−２６０７９９号公報
【特許文献６】特開昭６２−３０１９９号公報
【特許文献７】特開昭６３−９０６００号公報
【特許文献８】特開平１０−１７６１８７号公報
【発明の概要】
【発明が解決しようとする課題】
【０００６】
本発明の課題は、界面活性剤濃度を低減しても高い洗浄力を発揮し、且つ良好な濯ぎ性を有する液体洗浄剤組成物を提供することにある。
【課題を解決するための手段】
【０００７】
本発明は、（ａ）炭素数８〜１８の炭化水素基を有するアミンオキシド型界面活性剤〔以下、（ａ）成分という〕、（ｂ）安息香酸、ベンゼンスルホン酸、ベンゼンジスルホン酸、ｐ−トルエンスルホン酸、桂皮酸及びこれらの塩、好ましくはアルカリ金属塩から選ばれる１種以上の化合物〔以下、（ｂ）成分という〕、並びに（ｃ）水〔以下、（ｃ）成分という〕を含有し、（ａ）成分と（ｂ）成分のモル比が（ｂ）／（ａ）＝０．３〜０．９であり、（ａ）成分に対して、陰イオン界面活性剤と陽イオン界面活性剤の合計量が３モル％以下であり、実質的に次亜塩素酸塩を含まない液体洗浄剤組成物に関する。
【０００８】
本発明者らは、特定のアミンオキシドに、特定の芳香族スルホン酸もしくはその塩及び／又は特定の芳香族カルボン酸もしくはその塩を、特定モル比で組み合わせることで、低界面活性剤濃度でも十分な洗浄性能が発現し、同時に使用水量を低減させる（すすぎ性能が向上する）ことを見出し、本発明に至った。
【発明の効果】
【０００９】
本発明によれば、界面活性剤濃度を低減しても高い洗浄力を発揮し、且つ良好な濯ぎ性を有する液体洗浄剤組成物が提供される。
【発明を実施するための形態】
【００１０】
＜（ａ）成分＞
本発明の（ａ）成分は炭素数１０〜１８の炭化水素基を有するアミンオキシド型界面活性剤であり、下記一般式（Ａ）の化合物が好ましい。
【００１１】
【化１】
0005520029.tif 000002
【００１２】
〔式中、Ｒ1は炭素数８〜１８のアルキル基又はアルケニル基であり、Ｒ2は炭素数１〜６のアルキレン基であり、Ａは−ＣＯＯ−、−ＣＯＮＨ−、−ＯＣＯ−、−ＮＨＣＯ−から選ばれる基である。ａは０又は１の数であり、Ｒ3、Ｒ4はそれぞれ炭素数１〜３のアルキル基又はヒドロキシアルキル基である。〕
【００１３】
一般式（Ａ）において、Ｒ1は好ましくは炭素数１０〜１６、より好ましくは１０〜１４のアルキル基又はアルケニル基であり、特に好ましくはラウリル基及び／又はミリスチル基である。一般式（Ａ）の構造によっては、Ｒ1は、ラウリン酸、ミリスチン酸等、脂肪酸の残基であってもよい。Ａが存在する場合は、好ましくは−ＣＯＯ−又は−ＣＯＮＨ−である。Ｒ2は好ましくは２又は３の数であり、Ｒ3、Ｒ4はそれぞれ好ましくはメチル基である。ａは、洗浄力の観点から、０が好ましい。
【００１４】
一般式（Ａ）のＲ1は、単独のアルキル鎖長又はアルケニル鎖長でもよく、異なるアルキル鎖長又はアルケニル鎖長を有する混合アルキル基又はアルケニル基であってもよい。後者の場合には、ヤシ油、パーム核油から選ばれる植物油から誘導される混合アルキル鎖長又はアルケニル鎖長を有するものが好適である。具体的にはラウリル基／ミリスチル基（又は、ラウリン酸残基／ミリスチン酸残基）のモル比が９５／５〜２０／８０、好ましくは９０／１０〜３０／７０であることが洗浄効果、及び濯ぎ性の点から好ましい。
【００１５】
＜（ｂ）成分＞
本発明の（ｂ）成分は、安息香酸、ベンゼンスルホン酸、ベンゼンジスルホン酸、ｐ−トルエンスルホン酸、桂皮酸及びこれらの塩から選ばれる１種以上の化合物である。塩は、ナトリウム塩、カリウム塩等のアルカリ金属塩、マグネシウム、カルシウム等のアルカリ土類金属等が挙げられ、アルカリ金属塩が好ましい。（ｂ）成分は、洗浄力の観点から、安息香酸、ベンゼンスルホン酸、ベンゼンジスルホン酸、桂皮酸及びこれらのアルカリ金属塩から選ばれる１種以上の化合物が好ましい。
【００１６】
＜（ｃ）成分＞
（ｃ）成分の水は、蒸留水やイオン交換水を使用することが好ましい。通常、本発明の液体洗浄剤組成物の残部は（ｃ）成分の水である。
【００１７】
＜液体洗浄剤組成物＞
本発明の液体洗浄剤組成物では、（ａ）成分と（ｂ）成分のモル比は、（ｂ）／（ａ）＝０．３〜０．９であり、好ましくは０．３５〜０．８５であり、最も好ましくは０．４〜０．８である。この範囲において、界面活性剤濃度を低減しても優れた洗浄力が発現し、また優れた濯ぎ性が得られる。
【００１８】
また、本発明の液体洗浄剤組成物では、洗浄力の観点から、（ａ）成分に対して、陰イオン界面活性剤と陽イオン界面活性剤の合計量が３モル％以下であり、好ましくは２モル％以下、特に好ましくは１モル％以下である。下限値は、好ましくは０モル％である。
【００１９】
更に、本発明の液体洗浄剤組成物では、洗浄力の観点から、（ａ）成分に対して、（ａ）成分を除く非イオン界面活性剤が、５モル％以下であり、好ましくは２モル％以下である。下限値は、好ましくは０モル％である。
【００２０】
また、本発明の液体洗浄剤組成物は、貯蔵安定性向上の観点から、実質的に次亜塩素酸塩を含まない。
【００２１】
本発明の液体洗浄剤組成物は、濯ぎ性の観点から（ａ）成分を１〜３０質量％、更に５〜２０質量％、より更に１０〜１５質量％含有することが好ましい。
【００２２】
また、本発明の液体洗浄剤組成物は、（ｂ）成分を１〜２０質量％、更に４〜１５質量％、より更に７〜１０質量％含有することが好ましい。
【００２３】
本発明の液体洗浄剤組成物では、界面活性剤中、（ａ）成分の割合が７０〜１００質量％、更に８０〜１００質量％、より更に９５〜１００質量％であることが好ましい。
【００２４】
本発明の液体洗浄剤組成物は、界面活性剤の含有量の合計が１〜３０質量％、更に５〜２５質量％、より更に１０〜２０質量％であることが好ましい。
【００２５】
本発明の液体洗浄剤組成物には、目的とする性能を損なわない範囲で、通常の液体洗浄剤組成物に配合されている添加剤、防腐剤、各種着色料、無機塩、香料などの成分を配合することができる。
【００２６】
本発明の液体洗浄剤組成物は、食器、調理器具、台所、壁、テーブル、浴室、各種ガラス製品など、様々な硬質表面の洗浄に使用できるが、食器用液体洗浄剤組成物として好適である。
【００２７】
本発明の液体洗浄剤組成物のｐＨは、２０℃で６〜９、更に６．５〜８とすることができる。食器用とする場合、ｐＨは２０℃で６〜９、更に６．５〜７．５が好ましい。
【実施例】
【００２８】
＜洗浄力試験＞
菜種油（山桂産業株式会社製）に０．１質量％のスダンIII（東京化成工業株式会社製）を均一に混ぜ込んだものをモデル油とし、モデル油１ｍｌをポリプロピレン皿（φ２３ｃｍ、関東プラスティック工業株式会社製）に均一に塗り広げたものをモデル汚染食器とした。
【００２９】
市販の新品スポンジ（１１５ｍｍ×７５ｍｍ×３５ｍｍ、商品名：キクロン、販売元：キクロン株式会社）を水道水でもみ洗いし、水道水の含有量が１０ｇになるまで絞った後、表１の液体洗浄剤組成物１ｇと水道水２０ｍｌを染み込ませた。モデル汚染食器上で上記スポンジを２〜３回手でもみ泡立たせた後、モデル汚染食器を連続して擦り洗いし、洗浄（食器に付着した色およびヌル付いた感触が消えることにより確認）できた皿の枚数を求めた。
【００３０】
＜濯ぎ性試験＞
５００ｍｌの丸型分液漏斗（ＩＷＡＫＩ社製）に界面活性剤濃度が０．１質量％になるように３．５°ＤＨ硬水（２５℃）にて希釈した表１の組成物を４０ｍｌ封入し、上下に３０回激しく振盪させて泡立てた。漏斗スタンドに静置させた後、コックを開いて水溶液と泡を排水し、落下する液滴間隔が約１秒になった時点でコックを閉じた。上方口より２５℃に温調した３．５°ＤＨ硬水を４０ｍｌゆっくりと注ぎ、排出口側の長軸管部分を持ちながら分液漏斗本体を静かに１０回転だけ歳差運動させた。漏斗スタンドに静置させた後、再びコックを開き同様の排水操作を行った。分液漏斗内の泡がなくなり、排液が水のみになるまでに要した３．５°ＤＨ硬水の添加回数をすすぎ回数とした。
【００３１】
【表１】
0005520029.tif 000003
【００３２】
表中の成分は以下のものである。
（ａ−１）：ドデシルジメチルアミンオキサイド
（ａ−２）：テトラデシルジメチルアミンオキサイド
（ｂ−１）：安息香酸ナトリウム
（ｂ−２）：ベンゼンスルホン酸ナトリウム
（ｂ−３）：ベンゼンジスルホン酸ナトリウム
（ｂ−４）：桂皮酸ナトリウム
ＥＳ：アルキル鎖が、炭素数１２のアルキル基：炭素数１４のアルキル基＝７３：２７（質量比）の天然アルコール１モルに、プロピレンオキシドを０．４モル付加、エチレンオキシドを１．５モル付加したのち、三酸化イオウにより硫酸化し、水酸化ナトリウムで中和したもの。